(57)【要約】【課題】表示装置においてユーザの操作の受付が可能な状態か否かをユーザが判断できる技術を提供する。【解決手段】  画像を表示する表示装置において、ディスプレイの表示面へのユーザの近接を検出して、ユーザが表示面に一点および複数点のいずれで近接したかに応じて、光源を異なる状態で発光させる。これにより、ユーザはユーザの目的とする機能に対応する近接操作の受付が可能か否かを判断できる。【選択図】図２
2014153986.tif 000002
【特許請求の範囲】
【請求項１】
画像をディスプレイに表示する表示装置において、
前記ディスプレイに対する物体の近接と、その近接に続く操作を検出する検出手段と、
前記近接に続く操作が実行される前の段階で、前記物体の近接において少なくとも２種類のジェスチャーを識別可能であり、報知手段によって識別結果で異なる報知を行うよう制御する制御手段と、
を備えることを特徴とする表示装置。
【請求項２】
画像をディスプレイの表示面に表示する表示装置において、
前記表示面へのユーザの近接を検出する検出手段と、
光源と、
前記ユーザが前記表示面に一点および複数点のいずれで近接したかに応じて、前記光源を異なる状態で発光させる制御手段と、
を備えることを特徴とする表示装置。
【請求項３】
請求項２に記載の表示装置において、
前記制御手段は、前記ユーザが前記表示面に複数点で近接した場合に、前記光源を第１の表示色で発光させ、前記ユーザが前記表示面に一点で近接した場合に、前記光源を第２の表示色で発光させること、
を特徴とする表示装置。
【請求項４】
請求項２または３に記載の表示装置において、
前記光源は前記表示面の周辺に設けられていること、
を特徴とする表示装置。
【請求項５】
画像をディスプレイの表示面に表示する表示方法において、
前記表示面へのユーザの近接を検出する工程と、
前記ユーザが前記表示面に一点および複数点のいずれで近接したかに応じて、光源を異なる状態で発光させる工程と、
を備えることを特徴とする表示方法。
【請求項６】
画像をディスプレイの表示面に表示する表示装置において、
前記表示面および表示面周辺の操作部領域のいずれかへのユーザの近接を検出する検出手段と、
光源と、
前記ユーザが前記表示面および前記操作部領域のいずれかに一点および複数点のいずれで近接したかに応じて、前記光源を異なる状態で発光させる制御手段と、
を備えることを特徴とする表示装置。
【請求項７】
画像をディスプレイの表示面に表示する表示方法において、
前記表示面および表示面周辺の操作部領域のいずれかへのユーザの近接を検出する工程と、
前記ユーザが前記表示面および前記操作部領域のいずれかに一点および複数点のいずれで近接したかに応じて、光源を異なる状態で発光させる工程と、
を備えることを特徴とする表示方法。
【発明の詳細な説明】
【技術分野】
【０００１】
本発明は、ユーザの操作を受け付けて画像を表示する表示装置に関する。
【背景技術】
【０００２】
近年、ユーザが指や手の平等を表示装備のディスプレイに近づけて、非接触の操作を行うことで表示装置の機能を実行する技術がある。このような非接触の操作の例としては、浮遊容量に関する静電容量の変化に基づく自己容量方式や赤外線方式などがある。また、表示装置にカメラを設けて、ディスプレイに表示された画像に対して近接したユーザの手の平をカメラで撮影し、その撮影画像からユーザの手の平の位置に基づく動きの方向と動きの速さ等に応じた非接触の操作が開示されている（例えば、特許文献１参照）。
【先行技術文献】
【特許文献】
【０００３】
【特許文献１】特開２００６−２０９５６３号公報
【発明の概要】
【発明が解決しようとする課題】
【０００４】
ところで、表示装置がユーザの非接触による操作を受け付けて機能を実行する場合、ユーザは、ユーザのディスプレイの近接を検出するセンサがユーザの近接を認識可能な所定の領域内で操作を行う必要がある。そして、ユーザはセンサがユーザの近接を認識する領域を視認できないため、ユーザが表示装置の機能の実行を意図してディスプレイに近づいた状態で操作を行った場合でも、センサがディスプレイに対するユーザの近接を検出可能な範囲外のときは、表示装置の機能が実行されないことがあった。
【０００５】
本発明は、上記課題に鑑みてなされたものであり、ユーザの操作を受付可能な状態か否かを判断できる技術を提供することを目的とする。
【課題を解決するための手段】
【０００６】
上記課題を解決するため、請求項１の発明は、画像をディスプレイに表示する表示装置において、前記ディスプレイに対する物体の近接と、その近接に続く操作を検出する検出手段と、前記近接に続く操作が実行される前の段階で、前記物体の近接において少なくとも２種類のジェスチャーを識別可能であり、報知手段によって識別結果で異なる報知を行うよう制御する制御手段と、を備える。
【０００７】
また、請求項２の発明は、画像をディスプレイの表示面に表示する表示装置において、前記表示面へのユーザの近接を検出する検出手段と、光源と、前記ユーザが前記表示面に一点および複数点のいずれで近接したかに応じて、前記光源を異なる状態で発光させる制御手段と、を備える。
【０００８】
また、請求項３の発明は、請求項２に記載の表示装置において、前記制御手段は、前記ユーザが前記表示面に複数点で近接した場合に、前記光源を第１の表示色で発光させ、前記ユーザが前記表示面に一点で近接した場合に、前記光源を第２の表示色で発光させる。
【０００９】
また、請求項４の発明は、請求項２または３に記載の表示装置において、前記光源は前記表示面の周辺に設けられている。
【００１０】
また、請求項５の発明は、画像をディスプレイの表示面に表示する表示方法において、前記表示面へのユーザの近接を検出する工程と、前記ユーザが前記表示面に一点および複数点のいずれで近接したかに応じて、光源を異なる状態で発光させる工程と、を備える。
【００１１】
また、請求項６の発明は、画像をディスプレイの表示面に表示する表示装置において、前記表示面および表示面周辺の操作部領域のいずれかへのユーザの近接を検出する検出手段と、光源と、前記ユーザが前記表示面および前記操作部領域のいずれかに一点および複数点のいずれで近接したかに応じて、前記光源を異なる状態で発光させる制御手段と、を備える。
【００１２】
さらに、請求項７の発明は、画像をディスプレイの表示面に表示する表示方法において、前記表示面および表示面周辺の操作部領域のいずれかへのユーザの近接を検出する工程と、前記ユーザが前記表示面および前記操作部領域のいずれかに一点および複数点のいずれで近接したかに応じて、光源を異なる状態で発光させる工程と、を備える。
【発明の効果】
【００１３】
請求項１ないし７の発明によれば、接近に続く操作が実行される前の段階で、物体の接近において少なくとも２種類のジェスチャーを識別して、識別結果で異なる報知を行うことで、ユーザは、表示装置におけるユーザの接近に続く操作の受付が可能なことを知覚できる。
【００１４】
また、特に請求項２の発明によれば、ユーザが表示面に一点および複数点のいずれで近接したかに応じて、表示装置に設けられた光源を異なる状態で発光させることで、ユーザはユーザの目的とする機能に対応する近接操作の受付が可能か否かを判断できる。
【００１５】
また、特に請求項３の発明によれば、ユーザが表示面に複数点で近接した場合に、光源を第１の表示色で発光させ、ユーザが表示面に一点で近接した場合に、光源を第２の表示色で発光させることで、ユーザはタッチパネルに対する複数種類の近接操作のうちどの近接操作の受付が可能であるかを正確に判断できる。
【００１６】
また、特に請求項４の発明によれば、光源が表示面の周辺に設けられていることで、ユーザは表示面の表示内容を確認しながら、ユーザが目的とする機能に対応する近接操作の受付が可能か否かを判断できる。
【００１７】
また、特に請求項６の発明によれば、ユーザがディスプレイの表示面および表示面周辺の操作部領域のいずれかに一点および複数点のいずれで近接したかに応じて、表示装置に設けられた光源を異なる状態で発光させることで、ユーザは近接操作により実行可能な複数の機能のうちユーザの目的とする機能に対応する近接操作の受付が可能か否かを判断できる。
【図面の簡単な説明】
【００１８】
【図１】図１は、表示装置の外観を示す図である。
【図２】図２は、表示装置の構成を示すブロック図である。
【図３】図３は、ユーザによる複数点でのタッチパネルの操作面への近接を示す図である。
【図４】図４は、表示装置のＡ−Ａ線矢視断面図である。
【図５】図５は、操作部領域に設けられた光源が発光した状態を示す図である。
【図６】図６は、ユーザのジェスチャー操作の受付を説明する図である。
【図７】図７は、ユーザの一点での操作部への近接を示す図である。
【図８】図８は、表示装置のＢ−Ｂ線矢視断面図である。
【図９】図９は、操作部領域に設けられた光源が発光した状態を示す図である。
【図１０】図１０は、ユーザの一点でのジェスチャー操作の受付を説明する図である。
【図１１】図１１は、ユーザの操作に対する表示装置の処理の流れを示す図である。
【発明を実施するための形態】
【００１９】
以下、図面を参照しつつ本発明の実施の形態について説明する。
【００２０】
＜１．第１の実施の形態＞
＜１−１．構成＞
図１は、本実施の形態の表示装置１の外観を示す図である。この表示装置１は、例えば、自動車などの車両内において使用されるものであり、車室内のドライバなどのユーザに対して表示装置１が有する機能の実行により各種の情報を表示する。表示装置１が有する主な機能として、地図画像を表示して目的地までのルートを案内するナビゲーション機能、および、車室内に音を出力するオーディオ機能などがある。また、表示装置１は、文字入力装置としても機能し、例えば、ナビゲーション機能における目的地設定や、オーディオ機能における音声データのタイトルの変更等においてユーザが文字を入力できるようになっている。
【００２１】
表示装置１は、例えばガラス基盤で構成され各種情報を表示するディスプレイ２と、ユーザが操作するタッチパネル３とを備えている。タッチパネル３の操作面には図示しない透明電極等の電極が設けられ、この電極における静電容量の変化を検出するセンサ（例えば、後述する図２に示す検出部１０）が接続されている。そして、タッチパネル３の操作面はディスプレイ２の表示面に重なるように配置され、タッチパネル３の操作面の位置とディスプレイ２の表示面上の位置とは対応付けられている。また、タッチパネル３の操作面は、ディスプレイ２の表示面よりもユーザ側に配置され、タッチパネル３の表面には保護カバー等が設けられる。
【００２２】
また、ディスプレイ２の表示面には、適宜、ユーザの指示を受け付けるコマンドボタン１５が表示される。ユーザが、このようなコマンドボタン１５の領域に対応するタッチパネル３の操作面中の領域に指を接触させる接触操作を行うことで、コマンドボタン１５の位置に関連付けられた命令が受け付けられて、ユーザの目的とする機能が実行される。
【００２３】
ここで、接触操作は、ユーザがタッチパネル３の操作面に指を接触させた場合に生じる静電容量の変化に基づき、ユーザが接触したタッチパネル３の操作面中の位置が検出され、当該位置に関連付けられた命令が表示装置１に受け付けられる操作である。
【００２４】
また、上述の接触操作とは異なる他の操作として、ユーザが指をタッチパネル３の操作面に近接させて操作する近接操作がある。この近接操作は、ユーザが指をタッチパネル３の操作面に接触させることなく、少なくともタッチパネル３の操作面に対して指が近接した（例えば、後述する図４に示すように、ユーザ６の指先とタッチパネル３の操作面との間隔が2.0cm以下〜0.2cm以上の所定の距離範囲内となった）場合に生じる静電容量の変化に基づき行われる。そして、この静電容量の変化に基づきユーザ６が近接したタッチパネル３の操作面中の位置が検出され、当該位置に関連付けられた命令が表示装置１に受け付けられる操作である。つまり、近接操作では、ユーザ６が近接したタッチパネル３の操作面中の位置が検出され、当該位置に関連付けられた命令が表示装置１に受け付けられる。
【００２５】
また、表示装置１のディスプレイ２の表示面の周辺には、ユーザ６が操作するための物理的なスイッチ（例えば、ハードボタン）が設けられている。そして、ユーザ６が複数のハードボタンを含む操作部４のうちユーザ６が、特定のハードボタンに指を接触させて押圧することで、ユーザ６が選択したハードボタンに関連付けられた機能の実行命令が表示装置１に受け付けられる。また、操作部４を含む操作部４の近傍の領域（以下、「操作部領域ｔｅ」という。）に透明電極等の電極を設けることで、近接検出部１０ｂが操作部領域ｔｅへのユーザ６の近接による静電容量の変化を検出する。
【００２６】
さらに、操作部領域ｔｅ内で表示装置１の内部に所定の色の光を発光可能なＬＥＤなどの光源（例えば、図２に示す光源５）が複数設けられている。言い換えると、光源５は、タッチパネル３の操作面の周辺に設けられている。そして、光源５は後述する図２の発光部２０ｃの制御に基づきユーザ６がタッチパネル３の操作面や操作部領域ｔｅに一点および複数点のいずれで近接したかに応じて異なる状態で発光する。つまり、光源５は、発光部２０ｃの制御に基づきユーザ６がタッチパネル３の操作面および操作部領域ｔｅのいずれかに一点および複数点のいずれで近接したかに応じて異なる表示色で発光する。これにより、ユーザ６は，近接操作により実行可能な複数の機能のうちユーザ６の目的とする機能に対応する近接操作の受付が可能か否かを判断できる。
【００２７】
また、光源５がタッチパネル３の操作面の周辺に設けられていることで、ユーザ６はディスプレイ２の表示面の表示内容を確認しながら、ユーザ６が目的とする機能に対応する近接操作の受付が可能か否かを判断できる。
【００２８】
図２は、表示装置１の構成を示すブロック図である。図２に示すように、表示装置１は、上述したディスプレイ２、タッチパネル３、操作部４、および、光源５に加えて、検出部１０、記憶部１１、ナビゲーション部１２、オーディオ部１３、および、スピーカ１４を主に備えている。
【００２９】
検出部１０は、例えば、ハードウェア回路であり、タッチパネル３の操作面に設けられた電極、および、操作部４に設けられた電極に接続され、これらの電極における静電容量の変化を検出するセンサである。また、検出部１０は、ユーザ６がタッチパネル３の操作面に指を接触させることにより生じた静電容量の変化を検出する接触検出部１０ａを備えている。さらに、検出部１０は、ユーザ６がタッチパネル３の操作面および操作部４に指を近接させた場合の静電容量の変化を検出する近接検出部１０ｂを備えている。
【００３０】
詳細には、接触検出部１０ａは、駆動電極及び受信電極の２電極間の静電容量の変化を測定する相互容量方式で、ユーザ６の指がタッチパネル３の操作面に接触した場合の静電容量の変化を検出する。つまり、接触検出部１０ａは、ユーザ６の指による電界の遮断によって受信電極の受信する電荷が減少することに基づいて、ユーザ６がタッチパネル３に接触したときの静電容量の変化を検出する。
【００３１】
近接検出部１０ｂは、ユーザ６の指の電極への近接によって浮遊容量に関して指先と透明電極との間の静電容量の変化を測定する自己容量方式で、ユーザ６の指がタッチパネル３の操作面や操作部４に対して近接した場合に生じる静電容量の変化を検出する。そして、近接検出部１０ｂは、ユーザ６がタッチパネル３の操作面や操作部領域ｔｅに１本の指で近接した場合と、タッチパネル３の操作面や操作部領域ｔｅに複数本の指（例えば、ユーザ６の同じ手の隣接する２本の指）で近接した場合とで異なる静電容量の変化を検出する。このように近接検出部１０ｂは、ユーザ６のタッチパネル３や操作部４への近接を検出する。また、近接検出部１０ｂはユーザ６の後述するジェスチャー操作を検出する。つまり、近接検出部１０ｂは、タッチパネル３の操作面に対するユーザ６の近接操作と、その近接に続くユーザ６のジェスチャー操作とを検出する。
【００３２】
記憶部１１は、例えばフラッシュメモリなど、各種のデータを記憶可能な不揮発性の記憶装置である。記憶部１１には、表示装置１の動作に必要な各種のデータや、プログラム１１ａが記憶される。
【００３３】
また、ナビゲーション部１２は、記憶部１１に記憶された地図を利用して、目的地までのルートを案内するナビゲーション機能を実現する。オーディオ部１３は、記憶部１１に記憶された音声データを利用して、スピーカ１４を介して音を出力するオーディオ機能を実現する。
【００３４】
また、表示装置１は、装置全体を制御する制御部２０を備えている。制御部２０は、例えば、ＣＰＵ、ＲＡＭ、および、ＲＯＭなどを備えるマイクロコンピュータである。制御部２０の各種の機能は、記憶部１１に記憶されたプログラム１１ａをＣＰＵが実行することにより実現される。このようなプログラム１１ａは、メモリカードなどの記録媒体からの読み出し等により取得され、記憶部１１に予め記憶される。表示装置１が、ネットワークを介した通信機能を備える場合は、他の通信装置との通信によりプログラム１１ａが取得されてもよい。
【００３５】
また、制御部２０は、表示制御部２０ａ、取得部２０ｂ、発光部２０ｃ、および、受付部２０ｄを主に備えている。これらはプログラム１１ａの実行により実現される制御部２０の機能のうちの一部である。
【００３６】
表示制御部２０ａは、ディスプレイ２の表示内容を制御する。表示制御部２０ａは、例えば地図画像や、ユーザ６が接触操作や近接操作を行う指標となるコマンドボタン１５などを、ディスプレイ２の表示面に表示させる。
【００３７】
取得部２０ｂは、検出部１０の接触検出部１０ａにより検出された静電容量の変化に関する信号を受信し、この静電容量の変化に関する信号に基づいてユーザ６が接触したタッチパネル３の操作面中や操作部領域ｔｅ中の特定の１箇所の位置を取得する。
【００３８】
また、取得部２０ｂは、接触検出部１０ａからの信号とともに、近接検出部１０ｂからの信号も受信する。つまり、取得部２０ｂは、近接検出部１０ｂからの静電容量の変化に関する信号に基づいてユーザ６がタッチパネル３の操作面および操作部領域ｔｅのいずれかに一点および複数点のいずれで近接したかを識別し、近接検出部１０ｂにより検出された静電容量の変化に関する信号に基づいてタッチパネル３の操作面中や操作部領域ｔｅ中の特定の１箇所の位置を取得する。
【００３９】
なお、タッチパネル３の操作面中の特定の１箇所は所定の領域を有する。そのため、ユーザ６が一点で近接した場合、および、複数点で近接した場合のどちらの場合も所定の領域に対応するタッチパネル３の操作面中の１箇所の位置が取得される。
【００４０】
ここで、ユーザ６がタッチパネル３の操作面や操作部４に一点で近接した場合と、タッチパネル３の操作面や操作部４に複数点で近接した場合とでは静電容量の変化の状態が異なる。例えば、複数点で近接した場合の静電容量の変化は一点で近接した場合の静電容量の変化よりも大きくなる。このような静電容量の変化に基づき、取得部２０ｂは近接検出部１０ｂから受信した静電容量の変化に関する信号に基づいてユーザ６のタッチパネル３の操作面や操作部４への近接が一点での近接か、複数点での近接かの識別を行う。
【００４１】
発光部２０ｃは、ユーザ６がタッチパネル３の操作面および操作部領域ｔｅのいずれかに一点および複数点のいずれで近接したかに応じて、光源５を異なる状態で発光させる。例えば、発光部２０ｃはタッチパネル３の操作面にユーザ６が複数点（例えば、ユーザの同じ手の隣接する２本の指）で近接した場合は、光源５を制御して緑色の表示色を発光させる。また、発光部２０ｃはユーザ６が操作部領域ｔｅに一点（ユーザ６の１本の指）で近接した場合は、光源５を制御して橙色の表示色を発光させる。これにより、ユーザ６は近接操作により実行可能な複数の機能のうちユーザ６の目的とする機能に対応する近接操作の受付が可能か否かを判断できる。
【００４２】
つまり、ユーザ６が１本の指でタッチパネル３の操作面および操作部領域ｔｅのいずれかに近接した場合と、複数本の指でタッチパネル３の操作面および操作部領域ｔｅのいずれかに近接した場合とで、発光部２０ｃが光源５の発光により表示される表示色を異なる色とする。その結果、ユーザ６はユーザ６の指の本数に対応する表示装置１の各機能（例えば、１本の指に対応する表示装置１のオーディオ機能、複数本の指に対応する表示装置１の目的地検索機能）の操作の受付が可能か否かを判断できる。
【００４３】
受付部２０ｄは、ユーザ６がタッチパネル３の操作面中に接触した位置に関する信号を取得部２０ｂから受信し、当該位置に関連付けられた命令を受け付ける。例えば、受付部２０ｄは、ユーザ６がタッチパネル３の操作面中のコマンドボタン１５の領域に指を接触させた位置に関する信号を取得部２０ｂから受信し、当該位置に関する信号に基づいてコマンドボタン１５の領域に対応する位置に関連付けられた命令を受け付ける．また，受付部２０ｄは、ユーザ６が操作部４の特定のハードボタンに対して接触操作した信号を取得部２０ｂから受信し、当該ハードボタンに関連付けられた命令を受け付ける。具体的には、受付部２０ｄは、ユーザ６が特定のハードボタン（例えば、図７に示すハードボタン４ａ）を接触操作した信号に基づいて、当該ハードボタン４ａに関連付けられた命令を受け付ける。
【００４４】
また、受付部２０ｄは、ユーザ６がタッチパネル３の操作面中に近接した位置に関する信号を取得部２０ｂから受信し、この位置に関する信号に基づいて当該位置に関連付けられた命令の入力操作を受け付ける。例えば、受付部２０ｄは、ユーザ６が近接したタッチパネル３の操作面中のコマンドボタン１５の領域に指を近接させた位置から別の位置へのユーザ６の指が連続的に移動した位置に関する信号を取得部２０ｂから受信し、当該位置に関する信号に基づいてコマンドボタン１５の領域に対応する位置に関連付けられた命令を受け付ける。なお、受付部２０ｄは、ユーザ６の指が連続的に移動する前のタッチパネル３の操作面に指が近接した位置に関連付けられた命令を受け付けても、ユーザ６の指が連続的に移動した後のタッチパネル３の操作面に指が近接した位置に関連付けられた命令を受け付けてもよい。
【００４５】
さらに、受付部２０ｄは、ユーザ６が操作部領域ｔｅに対して近接操作した信号を取得部２０ｂから受信し、当該操作部領域ｔｅ内の特定のハードボタンに関連付けられた命令を受け付ける。具体的には、受付部２０ｄは、ユーザ６が特定のハードボタン（例えば、ハードボタン４ａ）を接触操作した信号に基づいて、当該ハードボタン４ａに関連付けられた命令を受け付ける。
【００４６】
そして、受付部２０ｄがユーザ６の近接操作による命令を受け付けることで、発光部２０ｃは、光源５の発光を停止させる。これにより、ユーザ６は近接操作が受け付けられたことを判断できる。また、受付部２０ｄの命令の受付によりディスプレイ２において、ユーザ６の近接操作に対応する表示装置１の機能が実現される。
【００４７】
＜１−２．ユーザの近接操作＞
次に、表示装置１に対するユーザ６の近接操作とその操作の中での光源の発光について具体的に説明する。
＜１−２−１．複数点による近接操作＞
図３〜図５を用いてユーザ６の複数点による近接操作について説明する。図３は、ユーザ６による複数点でのタッチパネル３の操作面への近接を示す図である。図３では表示装置１のナビゲーション機能の実行に伴い地図画像ｍｐ１がディスプレイ２に表示されており、この地図画像ｍｐ１に重畳してコマンドボタン１５が表示されている。そして、ユーザ６がユーザ６の同じ手の隣接する２本の指をタッチパネル３の操作面に近接させることで、近接検出部１０ｂはユーザ６の複数点によるタッチパネル３の操作面への近接による静電容量の変化を検出する。次に、図３の表示装置１の切断面を図４に示して説明する。
【００４８】
図４は、表示装置１のＡ−Ａ線矢視断面図である。図４に示すようにユーザ６の複数本の指がタッチパネル３に対して近接状態ではない位置（所定の距離範囲外の位置で、例えば、ユーザ６の指先からタッチパネル３の操作面までの距離が2.0cmを上回る位置）（図４上図）からタッチパネル３の操作面に近接した位置（図４下図）へと移動することで、ユーザ６の指先とタッチパネル３に設けられた電極との間の静電容量が変化する。つまり、ユーザ６の複数本の指先と電極との間隔が狭くなることで静電容量が増加する。近接検出部１０ｂは、この静電容量の変化に関する信号を取得部２０ｂに出力する。そして、取得部２０ｂは静電容量の変化に関する信号に基づいてタッチパネル３の操作面中の特定の１箇所の位置である近接位置を取得する。
【００４９】
なお、上述のようにユーザ６の指先とタッチパネル３に設けられた電極の間の静電容量は、ユーザ６の指の本数が増えることにより増加する。つまり、ユーザ６の指の全体面積が大きくなることにより静電容量も増加する。そのため、近接検出部１０ｂは、図３および図４に示すようにユーザ６が複数点でタッチパネル３の操作面の近接することにより生じる静電容量の変化を検出し、取得部２０ｂがこの静電容量の変化に関する信号を受信する。そして、取得部２０ｂは、静電容量の変化が所定の値を上回る静電容量の変化の場合に、タッチパネル３の操作面中の特定の１箇所の位置である近接位置（例えば、コマンドボタン１５の領域に対応する位置）を取得する。
【００５０】
そして、取得部２０ｂがユーザ６のタッチパネル３への複数点での近接に基づく、タッチパネル３の操作面中の特定の１箇所の位置を取得した場合、言い換えると、ユーザ６の複数本の指(例えば、同じ手の隣接する２本の指)がタッチパネル３の操作面に対して所定の距離範囲内に存在する場合に、発光部２０ｃは光源５をユーザ６の複数点での近接に対応する特定色の第１の表示色（例えば、緑色）で発光させる。これにより光源５が設けられた領域の表示色が光源５の発光に伴って第１の表示色となるため、ユーザ６は、ユーザ６の目的とする機能に対応する近接操作の受付が可能であるか否かを判断できる。つまり、ユーザ６が複数本の指でタッチパネル３の操作面および操作部領域ｔｅのいずれかに近接した場合に、これに対応する表示装置１の機能（例えば、表示装置１のオーディオ機能）の操作の受付が可能か否かを判断できる。
【００５１】
具体例を図５に示す。図５は、操作部領域ｔｅに設けられた光源５が発光した状態を示す図である。図５に示すように、ユーザ６の複数本の指がタッチパネル３の操作面に対して所定の距離範囲内に存在する場合、発光部２０ｃは、操作部領域ｔｅに設けられた光源５をユーザ６の複数本の指の近接に対応する第２の表示色で発光させる。これにより操作部領域ｔｅの表示色が第１の表示色となる。
【００５２】
なお、図５では、タッチパネル３に対して左右の操作部領域ｔｅに設けられた光源５が発光している状態を示しているが、これ以外にも、次のように光源を発光させてもよい。例えば、取得部２０ｂが取得した近接位置に応じて左右いずれかの操作部領域ｔｅの光源５を第１の表示色で発光させてもよい。具体的には、ユーザ６のタッチパネル３の操作面への近接により、取得部２０ｂがタッチパネル３の操作面の領域を左右に分ける中心線ｎｔよりも右側の近接位置を取得した場合、発光部２０ｃは右側の操作部領域ｔｅ１に設けられた光源５を第１の表示色で発光させる。これに対して、取得部２０ｂが左側の近接位置を取得した場合、発光部２０ｃは左側の操作部領域ｔｅ２の光源５を第１の表示色で発光させる。
【００５３】
より詳細には、取得部２０ｂがコマンドボタン１５の位置を取得した場合、発光部２０ｃは操作部領域ｔｅ２の光源５を第１の表示色で発光させる。このようにタッチパネル３の操作面中のユーザ６が近接した位置に近い側の光源５を発光させることで、ユーザ６は、タッチパネル３の操作面における特定の位置への近接操作の受付が可能であることを判断できる。
【００５４】
このように複数本の指の近接に続く操作（後述するユーザ６の複数点でのジェスチャー操作）が実行される前の段階で、近接検出部１０ｂによる検出により取得部２０ｂが、ユーザ６の指の近接において、後述する１本の指の近接を含む少なくとも２種類のジェスチャーを識別可能であり、この識別結果により発行部２０ｃが光源５を異なる状態で発行させる。これにより、ユーザ６は、表示装置１におけるユーザ６の接近に続く操作の受付が可能なことを知覚できる。
【００５５】
次に、ユーザ６の複数点でのジェスチャー操作の受付について図６を用いて説明する。ここで、ジェスチャー操作とは、ユーザ６の指が近接したタッチパネル３の操作面中の位置から、その指をタッチパネル３の操作面中の別に位置にタッチパネル３の操作面に対して略平行に移動させることで、受付部２０ｄがユーザ６の近接したタッチパネル３の操作面の位置に関連付けられた命令を受け付ける操作をいう。
【００５６】
図６は、ユーザ６のジェスチャー操作の受付を説明する図である。図６上図に示すようにユーザ６が複数本の指で近接したタッチパネル３の操作面中の位置（例えば、コマンドボタン１５の領域に対応する位置）から、矢印ｔｒに示す右方向にユーザ６の複数本の指を操作面に対して略平行に移動させてタッチパネル３の操作面中の別の位置に近接させるジェスチャー操作を行うことで、受付部２０ｄが取得部２０ｂからのコマンドボタン１５の領域に対応する位置に関連付けられた命令（以下、「コマンドボタン１５の命令」という。）を受け付ける。このように受付部２０ｄがジェスチャー操作によるコマンドボタン１５の命令を受け付けた場合、コマンドボタン１５の命令に対応する表示装置１の機能が実行される。例えば、コマンドボタン１５の命令がオーディオ機能の実行に対応している場合、図５上図に示す地図画像ｍｐ１から図６下図に示すようにオーディオ画像ａｄにディスプレイ２の表示画像が切り替えられる。
【００５７】
なお、発光部２０ｃは、受付部２０ｄがユーザ６のジェスチャー操作を受け付けた後、図６下図に示すように光源５の発光を停止させる。これにより、ユーザ６は、ユーザ６が行ったジェスチャー操作が受け付けられたことを判断できる。その後ユーザ６の近接操作が受け付けられ、表示装置１の機能（例えば、オーディオ機能）が実行される。
＜１−２−２．一点による近接操作＞
次に、図７〜図９を用いてユーザ６の一点による近接操作について説明する。図７は、ユーザ６の一点での操作部領域ｔｅへの近接を示す図である。図７では図３と同様にナビゲーション機能の実行に伴い地図画像ｍｐ１がディスプレイ２に表示されており、この地図画像ｍｐ１に重畳してコマンドボタン１５が表示されている。そして、ユーザ６が１本の指を操作部４に近接させることで、近接検出部１０ｂはユーザ６の一点での操作部４への近接による静電容量の変化を検出する。次に、図７の表示装置１の切断面を図８に示して説明する。
【００５８】
図８は、表示装置１のＢ−Ｂ線矢視断面図である。図８に示すようにユーザ６の１本の指が操作部４に対して近接状態ではない位置（所定の距離範囲外の位置で、例えば、ユーザ６の指先から操作部４のハードボタン４ａまでの距離が2.0cmを上回る位置）（図８上図）からハードボタン４ａに近接した位置（図８下図）へと移動することで、ユーザ６の指先とハードボタン４ａに設けられた電極との間の静電容量が変化する。つまり、ユーザ６の１本の指先と電極との間隔が狭くなることで静電容量が増加する。近接検出部１０ｂは、この静電容量の変化に関する信号を取得部２０ｂに出力する。そして、取得部２０ｂは静電容量の変化に関する信号に基づいて操作部４の特定の１箇所の位置（ハードボタン４ａの位置）である近接位置を取得する。
【００５９】
そして、取得部２０ｂがユーザ６の操作部領域ｔｅへの近接に基づく、操作部４の特定の１箇所の位置を取得した場合、言い換えると、ユーザ６の１本の指が操作部４に対して所定の距離範囲内に存在する場合に、発光部２０ｃは光源５をユーザ６の１点での近接に対応する特定色の第２の表示色（例えば、橙色）で発光させる。これにより光源５が設けられた領域の表示色が光源５の発光に伴って第２の表示色となるため、ユーザ６は、ユーザ６の目的とする機能に対応する近接操作の受付が可能であるか否かを判断できる。つまり、ユーザ６が１本の指でタッチパネル３の操作面および操作部領域ｔｅのいずれかに近接した場合に、これに対応する表示装置１の機能（例えば、表示装置１の目的地検索機能）の操作の受付が可能か否かを判断できる。
【００６０】
具体例を図９に示す。図９は、操作部領域ｔｅに設けられた光源５が発光した状態を示す図である。図９に示すように、ユーザ６の１本の指が操作部領域ｔｅに対して所定の距離範囲内に存在する場合、発光部２０ｃは、操作部領域ｔｅに設けられた光源５をユーザ６の１本の指の近接に対応する第２の表示色で発光させる。これにより操作部領域ｔｅの表示色が第２の表示色となる。
【００６１】
なお、図９では、タッチパネル３に対して左右の操作部領域ｔｅに設けられた光源５が発光している状態を示しているが、これ以外にも、次のように光源を発光させてもよい。例えば、取得部２０ｂが取得した近接位置に応じて左右いずれかの操作部領域ｔｅの光源５を第２の表示色で発光させてもよい。具体的には、取得部２０ｂが右側の操作部領域の操作部領域ｔｅ１における近接位置を取得した場合、発光部２０ｃは、操作部領域ｔｅ１の光源５を第２の表示色で発光させる。これに対して、取得部２０ｂが左側の操作部領域の操作部領域ｔｅ２の近接位置を取得した場合、発光部２０ｃは、左側の操作部領域ｔｅ２の光源５を第２の表示色で発光させる。
【００６２】
より詳細には、取得部２０ｂがハードボタン４ａの位置を取得した場合、発光部２０ｃは操作部領域ｔｅ１の光源５を第２の表示色で発光させる。このように操作部領域ｔｅのユーザ６が近接した位置に近い側の光源５を発光させることで、ユーザ６は、操作部領域ｔｅにおける特定の位置への近接操作の受付が可能であることを判断できる。
【００６３】
このように１本の指の近接に続く操作（ユーザ６の一点でのジェスチャー操作）が実行される前の段階で、近接検出部１０ｂによる検出により取得部２０ｂが、ユーザ６の指の近接において、上述の複数本の指の近接を含む少なくとも２種類のジェスチャーを識別可能であり、この識別結果により発行部２０ｃが光源５を異なる状態で発行させる。これにより、ユーザ６は、表示装置１におけるユーザ６の接近に続く操作の受付が可能なことを知覚できる。
【００６４】
次に、ユーザ６の一点でのジェスチャー操作の受付について図１０を用いて説明する。図１０は、ユーザ６の一点でのジェスチャー操作の受付を説明する図である。図１０上図に示すように、ユーザ６が操作部４の位置（例えば、ハードボタン４ａの位置）から、矢印ｔｄに示す下方向にユーザ６の１本の指をハードボタン４ａに対して略平行に移動させて操作部領域ｔｅ内の別の位置に近接させるジェスチャー操作を行うことで、受付部２０ｄが取得部２０ｂからの操作部４（ハードボタン４ａ）に関連付けられた命令(以下、「操作部４の命令」という。)を受け付ける。このように受付部２０ｄがジェスチャー操作による操作部４の命令を受け付けた場合、操作部４の命令に対応する表示装置１の機能が実行される。例えば、操作部４の命令が目的地検索機能の実行に対応している場合、図１０上図に示す地図画像ｍｐ１から図１０下図に示す検索画像ｓｅにディスプレイ２の表示画像が切り替えられて目的地検索機能が実行される。
【００６５】
なお、発光部２０ｃは、受付部２０ｄがユーザ６のジェスチャー操作を受け付けた後、図１０下図に示すように光源５の発光を停止させる。これにより、ユーザ６は、ユーザ６が行ったジェスチャー操作が受け付けられたことを判断できる。その後ユーザ６の近接操作が受け付けられ、表示装置１の機能（例えば、目的地検索機能）が実行される。
【００６６】
また、上記＜１−２−１．複数点による近接操作＞、および、＜１−２−２．一点による近接操作＞での説明では、ユーザ６の複数本の指がタッチパネル３の操作面に対して近接した場合と、ユーザ６の１本の指が操作部領域ｔｅに近接した場合に、発光部２０ｃが光源５をユーザ６の近接状態（ユーザ６の一点での近接か複数点での近接か）に応じた特定色に発光させることについて述べた。これ以外にもタッチパネル３の操作面に対してユーザ６の１本の指が近接した場合や、操作部領域ｔｅに対してユーザ６の複数本の指が近接した場合など、ユーザ６の近接状態に応じて発光部２０ｃが光源５を特定色で発光させる制御を行うようにしても良い。
【００６７】
＜１−３．処理の流れ＞
図１１は、ユーザ６の操作に対する表示装置１の処理の流れを示す図である。以下、図１１を参照して、表示装置１の処理の流れを説明する。
【００６８】
まず、表示制御部２０ａが、ディスプレイ２の表示面に画像（例えば、地図画像ｍｐ１）を表示させる（ステップＳ１０）。次に、検出部１０の近接検出部１０ｂがユーザ６の指先と、ユーザ６がタッチパネル３の操作面や操作部領域ｔｅに設けられた電極との間の静電容量の変化を検出する。取得部２０ｂは、この静電容量の変化に関する信号を受信し、当該静電容量の変化に関する信号に基づいてユーザ６の指がタッチパネル３の操作面および操作部領域ｔｅのいずれかに近接しているか否かを識別する（ステップＳ１１）。
【００６９】
そして、取得部２０ｂが静電容量の変化が生じていると判定した場合（ステップＳ１１でＹｅｓ）、当該取得部２０ｂは静電容量の変化に関する信号に基づいてユーザ６の複数点での近接であるか否かを識別する（ステップＳ１２）。
【００７０】
次に、取得部２０ｂは静電容量の変化に関する値が、タッチパネル３の操作面および操作部領域ｔｅのいずれかへのユーザ６の一点での近接と複数点の近接とを識別する閾値である第１の所定の値を上回ると判定した場合、取得部２０ｂは、ユーザ６がタッチパネル３の操作面および操作部領域ｔｅのいずれかに複数本の指で近接したと識別し（ステップＳ１２でＹｅｓ）、発光部２０ｃは、タッチパネル３の操作面および操作部領域ｔｅのいずれかにユーザ６の複数本の指が近接したことにより、光源５をユーザ６の複数本の指での近接（複数点での近接）に対応する第１の表示色（例えば、緑色）で発光させる（ステップＳ１３）。
【００７１】
そして、取得部２０ｂは、静電容量の変化に関する信号に基づいてユーザ６がタッチパネル３の操作面および操作部領域ｔｅのいずれかに複数点で近接した特定の１箇所の位置である近接位置を取得する（ステップＳ１４）。
【００７２】
次に、受付部２０ｄが、取得部２０ｂから近接位置に関する信号を受信し、この近接位置（例えば、コマンドボタン１５の領域に対応する位置）に関する信号に基づいて当該位置に関連付けられた命令を受け付ける（ステップＳ１５）。このようなユーザ６の近接操作により、例えば、タッチパネル３の操作面中の位置に対応する機能が実行される。具体例としてはオーディオ機能の実行に伴い、ディスプレイ２にオーディオ画像ａｄが表示される。
【００７３】
受付部２０ｄがユーザ６の近接操作を受け付けたことにより、発光部２０ｃは、光源５の第１の表示色の発光を中止する（ステップＳ１９）。
【００７４】
そして、表示装置１の機能が実行されてから所定時間（例えば、約２秒）が経過した場合（ステップＳ２０でＹｅｓ）に近接操作の処理が終了する。今回の処理終了後は、次回以降の処理が繰り返し行われる。これは、ユーザ６の１回の近接操作が受け付けられた後に、ユーザ６の指がタッチパネル３の操作面から一定距離離れるまでに要する時間（所定の距離範囲外となるまで時間）が経過した後に、次回の処理を可能とするものである。これにより、ユーザ６が１回の操作を終了して、ユーザ６の指がタッチパネル３の操作面から離れるまでユーザ６が意図しない操作が実行されることはない。なお、近接操作による一つの機能の実行後、所定時間が経過していない場合（ステップＳ２１でＮｏ）は、所定時間が経過するまでステップＳ２０の処理が繰り返し実行される。
【００７５】
ステップＳ１１に戻り、取得部２０ｂが静電容量の変化が検出されていないと判定した場合（ステップＳ１１でＮｏ）、処理は終了する。この場合、ユーザ６の指がタッチパネル３の操作面に近接していないこととなる。
【００７６】
次に、ステップＳ１２に戻り、取得部２０ｂが、静電容量の変化に関する値は第１の所定の値を下回ると判定した場合（ステップＳ１２でＮｏ）、次の処理が行われる。なお、この場合は、タッチパネル３の操作面および操作部領域ｔｅのいずれかにユーザ６の１本の指が近接していることとなる。
【００７７】
そして、発光部２０ｃは、タッチパネル３の操作面および操作部領域ｔｅのいずれかにユーザ６の１本の指が近接したことにより、光源５をユーザ６の１本の指での近接（一点での近接）に対応する第２の表示色（例えば、橙色）で発光させる（ステップＳ１６）。
【００７８】
取得部２０ｂは、静電容量の変化に関する信号に基づいてユーザ６がタッチパネル３の操作面および操作部領域ｔｅのいずれかに一点で近接した特定の１箇所の位置である近接位置を取得する（ステップＳ１７）。
【００７９】
次に、受付部２０ｄが、取得部２０ｂから近接位置に関する信号を受信し、この近接位置（例えば、ハードボタン４ａの位置）に関する信号に基づいて当該位置に関連付けられた命令を受け付ける（ステップＳ１８）。このようなユーザ６の近接操作により、例えば、ハードボタン４ａの位置に対応する機能が実行される。具体例としては目的地検索機能の実行に伴い、ディスプレイ２に検索画像ｓｅが表示される。
【００８０】
発光部２０ｃは、受付部２０ｄがユーザ６の近接操作を受け付けたことにより、光源５の第２の表示色の発光を中止する（ステップＳ１９）。
【００８１】
そして、機能が実行されてから所定時間（例えば、約２秒）が経過した場合（ステップＳ２０でＹｅｓ）に近接操作の処理が終了する。今回の処理終了後は、次回以降の処理が繰り返し行われる。これは、ユーザ６の１回の近接操作が受け付けられた後に、ユーザ６の指がタッチパネル３の操作面から一定距離離れるまでに要する時間（所定の距離範囲外となるまで時間）が経過してから、次回の処理を可能とするものである。これにより、ユーザ６が１回の操作を終了して、ユーザ６の指がタッチパネル３の操作面および操作部領域ｔｅのいずれかから離れまでユーザ６が意図しない操作が実行されることはない。なお、近接操作による一つの機能の実行後、所定時間が経過していない場合（ステップＳ２１でＮｏ）は、所定時間が経過するまでステップＳ２０の処理が繰り返し実行される。その結果、ユーザ６は近接操作により実行可能な複数の機能のうちユーザ６の目的とする機能に対応する近接操作の受付が可能か否かを判断できる。
【００８２】
＜３．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【００８３】
上記実施の形態では、タッチパネル３の操作面に非接触の近接したユーザ６の位置を自己容量方式で検出するとしていたが、赤外線方式など他の方式で検出してもよい。この場合、ユーザ６はディスプレイ２の表示面に対して非接触の近接操作を行う。このように、タッチパネル３を有しない表示装置においても上記実施の形態で説明した技術を適用できる。
【００８４】
また、上記実施の形態では、タッチパネル３の操作面に電極を設けるとともに、操作部４を含む操作部領域ｔｅにも電極を設けて、近接検出部１０ｂがユーザ６のタッチパネル３の操作面および操作部領域ｔｅのいずれかへの近接を検出する構成について説明した。これ以外にも、タッチパネル３の操作面のみに電極を設けることで、近接検出部１０ｂがユーザのタッチパネル３の操作面への近接を検出するようにしてもよい。この場合、取得部２０ｂはユーザ６がタッチパネル３の操作面に対して一点および複数点のいずれで近接したかを識別してタッチパネル３の操作面中の特定の１箇所の位置を取得する。そして、発光部２０ｃはユーザ６が一点および複数点のいずれでタッチパネル３の操作面に近接したかに応じて、光源５を異なる状態で発光させる。これにより、ユーザ６はタッチパネル３を操作することにより実現する機能（ユーザ６の目的とする機能）に対応する近接操作の受付が可能か否かを判断できる。
【００８５】
また、操作部領域ｔｅのみに電極を設けることで、近接検出部１０ｂがユーザの操作部領域ｔｅへのユーザ６の近接を検出するようにしてもよい。この場合、取得部２０ｂはユーザ６が操作部領域ｔｅに対して一点および複数点のいずれで近接したかを識別し、操作部領域ｔｅの特定の１箇所の位置を取得する。そして、発光部２０ｃはユーザ６が一点および複数点のいずれで操作部領域ｔｅに近接したかに応じて、光源５を異なる状態で発光させる。これにより、ユーザ６は操作部４を操作することにより実現する機能（ユーザ６の目的とする機能）に対応する近接操作の受付が可能か否かを判断できる。
【００８６】
また、上記実施の形態では、ユーザ６がタッチパネル３の操作面および操作部領域ｔｅのいずれかに複数点で近接したことにより、発光部２０ｃが光源５を第１の表示色で発光させ、ユーザ６がタッチパネル３の操作面および操作部領域ｔｅのいずれかに一点で近接したことにより、発光部２０ｃが光源５を第２の表示色で発光させることについて説明した。言い換えると、ユーザ６が複数点で近接した場合は、タッチパネル３の操作面および操作部領域ｔｅのいずれの近接の場合もユーザ６の操作が受付可能であることを、発光部２０ｃが光源５を第１の表示色で発光させることで示し、ユーザ６が一点で近接した場合は、タッチパネル３の操作面および操作部領域ｔｅのいずれの近接の場合もユーザ６の操作が受付可能であることを、発光部２０ｃが光源５を第２の表示色で発光させることで示すことについて説明した。
【００８７】
これに対して、ユーザ６の複数点での近接の場合は、タッチパネル３の操作面に対して近接したときのみユーザ６の操作が受付可能であることを、発光部２０ｃが光源５を第１の表示色で発光させることで示すようにしてもよい。また、ユーザ６の一点での近接の場合は、操作部領域ｔｅに対して近接したときのみユーザ６の操作が受付可能であることを、発光部２０ｃが光源５を第２の表示色で発光させることで示す構成としてもよい。
【００８８】
また、これとは逆にユーザ６の一点での近接の場合は、ユーザ６がタッチパネル３の操作面に近接したときのみ発光部２０ｃが光源５を第２の表示色で発光させ、ユーザ６の複数点での近接の場合は、ユーザ６が操作部領域ｔｅに近接したときのみ発光部２０ｃが光源５を第２の表示色で発光させるようにしてもよい。
【００８９】
また、上記実施の形態では、光源５は、発光部２０ｃの制御に基づきユーザ６がタッチパネル３の操作面および操作部領域ｔｅのいずれかに一点および複数点のいずれで近接したかに応じて異なる状態で発光する場合の例として、異なる表示色で発光することについて説明した。これに対して、異なる状態での発光を表示色の変更以外に、一方は光源５の点灯を所定時間継続した状態とし、他方は光源５の点灯と消灯とを所定周期で繰り返し行うようにしてもよい。
【００９０】
また、上記実施の形態では、発光部２０ｃは、取得部２０ｂがユーザ６の近接操作による特定の一箇所の位置を取得したことにより、光源５を発光させることについて説明した。これ以外にも発光部２０ｃは、受付部２０ｄがユーザ６の近接操作を受け付けた場合に光源５を発光させるようにしてもよい。
【００９１】
また、上記実施の形態では、光源５は、表示装置１の内部のタッチパネル３の操作面の左右の側方領域である操作部領域ｔｅ内に設けられていると説明した。これ以外にも、光源５を左右いずれか一方の操作部領域ｔｅに設けてもよい。また、光源５をタッチパネル３の操作面の上下の両方の領域に設けてもよい。また上下いずれかの一方の領域に設けてもよい。なお、光源５をタッチパネル３の操作面に対する上下左右の周辺領域の全体に設けてもよく、この場合に発光部２０ｃはタッチパネル３の操作面に対して周辺領域全体に設けられた光源５を所定条件に応じて発光させるようにしてもよい。
【００９２】
また、上記実施の形態では、発光部２０ｃは、ユーザ６が一点および複数点のいずれかで操作部４のハードボタン４ａに近接し、ユーザ６の操作が受付可能な場合は操作部領域ｔｅに設けられた光源５を発光させることについて述べた。これ以外にも光源５がハードボタンの位置と同じ領域に設けられており、ユーザ６が一点および複数点のいずれかで操作部４のハードボタン(例えば、ハードボタン４ａ)に近接し、ユーザ６の操作が受付可能な場合に、発光部２０ｃがハードボタン４ａに設けられた光源５のみを発光させるようにしてもよい。
【００９３】
また、上記実施の形態では、ユーザ６がタッチパネル３の操作面および操作部領域ｔｅのいずれかに近接した場合に、少なくとも２種類のジェスチャー（例えば、１本の指での近接と複数本の指での近接）が近接検出部１０ｂにより検出され、近接検出部１０ｂの検出結果に基づいて取得部２０ｂが、いずれのジェスチャーかを識別し、この識別結果に応じて発光部２０ｃが光源５を異なる状態で発光させる構成について説明した。これに対して、上記の識別結果に応じたユーザ６への報知を光源５の発光以外の別の報知方法を用いてもよい。例えば、取得部２０ｂの識別結果に応じて、ユーザ６に対してスピーカ１４から異なる音を出力したり、ディスプレイ２から異なる画像を出力するようにしてもよい。
【００９４】
また、上記実施の形態では、ユーザ６がタッチパネル３の操作面および操作部領域ｔｅのいずれかに近接した場合に、発光部２０ｃが光源５を異なる状態で発光させることについて説明した。これに対して、ユーザ６がタッチパネル３の操作面および操作部領域ｔｅのいずれかに接触した場合（例えば、ユーザ６がタッチパネル３の操作面に接触した場合や、操作部４のハードボタン４ａに接触した場合）に、発光部２０ｃが光源５を異なる状態で発光させるようにしてもよい。さらに、ユーザ６がこのようにユーザ６の接触に伴い、表示装置１の内部に設けられたモータを動作させることで、表示装置１を振動させる構成としてもよい。
【００９５】
また、上記実施の形態では、ユーザ６がタッチパネル３の操作面に対する近接操作の例として、ジェスチャー操作について説明した。つまり、ユーザ６の指が少なくとも２種類の近接操作のうち一つの近接操作で近接したタッチパネル３の操作面中の位置から、その指をタッチパネル３の操作面中の別に位置にタッチパネル３の操作面に対して略平行に移動させることで、受付部２０ｄがユーザ６が近接したタッチパネル３の操作面の位置に関連付けられた命令を受け付ける操作について説明した。これに対して、ユーザ６の近接操作の別の例として、ユーザ６の指が少なくとも２種類の近接操作のうちの一つの近接操作で近接したタッチパネル３の操作面中の位置でユーザ６の指を近接させた状態を所定時間（例えば、２秒以上）継続することで、受付部２０ｄがユーザ６が近接したタッチパネル３の操作面の位置に関連付けられた命令を受け付けるようにしてもよい。なお、これらに限らず、取得部２０ｂがユーザ６の近接したタッチパネル３の操作面中の位置や操作部領域ｔｅ中の位置を取得し、受付部２０ｄが当該位置に関連付けられた命令の受け付けが可能なユーザ６の操作であれば、他の操作であってもよい。
【００９６】
また、上記実施の形態では、近接操作とジェスチャー操作とを分けて説明したが、近接操作とジェスチャー操作とをあわせてユーザ６のジェスチャーとしてもよいし、近接操作や接触操作をユーザ６のジェスチャーとしてもよい。
【００９７】
また、上記実施の形態では、タッチパネル３の操作面への複数点での近接をユーザ６の同じ手の隣接する２本の指の近接を例に説明したが、これ以外にも、ユーザ６の同じ手の隣接する３本以上の指でのタッチパネル３の操作面への近接や、異なる手の２本以上の指が隣接した状態でタッチパネル３の操作面に近接させるなどであってもよい。つまり、近接検出部１０ｂが検出する静電容量の変化がユーザ６の一点での近接とは異なる変化となり、取得部２０ｂがタッチパネル３の操作面上の特定の１箇所の位置を取得する近接操作であればよい。
【００９８】
また、上記実施の形態では、近接検出部１０ｂが自己容量方式によりユーザ６のタッチパネル３の操作面の近接による静電容量の変化を検出し、接触検出部１０ａが相互容量方式によりユーザ６のタッチパネル３の操作面の接触による静電容量の変化を検出するという説明を行った。これに対して、ユーザ６のタッチパネル３の操作面の近接および接触の両方を相互容量方式で検出するようにしてもよい。
【００９９】
また、上記実施の形態では、ユーザ６はタッチパネル３の操作面や操作部領域ｔｅに指を近接させたり接触させるものとして説明したが、それ以外にもユーザ６の手の平やタッチペンなどを含む物体を用いて近接したり接触してもよい。この場合は、このような物体の近接状態や接触状態に基づき、当該物体の位置をユーザの位置とみなせばよい。
【０１００】
また、上記実施の形態では、表示装置１として車両の車室内で用いられるものを例に説明を行ったが、表示装置１は、車室内のみならずそれ以外でもスマートフォンやタブレット端末など、タッチパネルを用いて文字を入力可能な電子装置であればどのようなものであってもよい。
【０１０１】
また、上記実施の形態では、プログラムに従ったＣＰＵの演算処理によってソフトウェア的に各種の機能が実現されると説明したが、これら機能のうちの一部は電気的なハードウェア回路により実現されてもよい。また逆に、ハードウェア回路によって実現されるとした機能のうちの一部は、ソフトウェア的に実現されてもよい。
【符号の説明】
【０１０２】
２    ディスプレイ
３    タッチパネル
６    ユーザ
１０ａ    接触検出部
１０ｂ    近接検出部
１１ａ    プログラム
２０ａ    表示制御部
２０ｂ    取得部
２０ｃ    発光部
２０ｄ    受付部
【図１】
2014153986.tif 000003
【図２】
2014153986.tif 000004
【図３】
2014153986.tif 000005
【図４】
2014153986.tif 000006
【図５】
2014153986.tif 000007
【図６】
2014153986.tif 000008
【図７】
2014153986.tif 000009
【図８】
2014153986.tif 000010
【図９】
2014153986.tif 000011
【図１０】
2014153986.tif 000012
【図１１】
2014153986.tif 000013